(57)【要約】【課題】点検歩廊を無駄に広くしたり、装置を大掛かりにしたりすることなしに、天井走行クレ−ンの清掃装置を得る。【解決手段】機上点検歩廊２の転落防止用手摺３を兼ねる真空掃除配管４および気吹き配管５とからなり、前記真空掃除配管４には複数の真空吸引弁６が、前記気吹き配管５には複数の気吹きノズル７が設けられ、真空掃除配管４は建屋点検歩廊８に沿って設けられた真空掃除配管９に接続カップリング付ホ−ス１１により接続可能に、気吹き配管５は建屋点検歩廊８に沿って設けられた圧縮空気配管１０に接続カップリング付ホ−ス１２により接続可能に構成されたことを特徴とする天井走行クレ−ンの清掃装置。【選択図】            図１
2004189378.tif 000002
【特許請求の範囲】
【請求項１】
機上点検歩廊の転落防止用手摺を兼ねる真空掃除配管および気吹き配管とからなり、前記真空掃除配管には複数の真空吸引弁が、前記気吹き配管には複数の気吹きノズルが設けられ、真空掃除配管は建屋点検歩廊に沿って設けられた真空掃除配管に接続カップリング付ホ−スにより接続可能に、気吹き配管は建屋点検歩廊に沿って設けられた圧縮空気配管に接続カップリング付ホ−スにより接続可能に構成されたことを特徴とする天井走行クレ−ンの清掃装置。
【発明の詳細な説明】
【０００１】
【発明の属する技術分野】
本発明は、天井走行クレ−ンの清掃装置に関する。
【０００２】
【従来の技術】
天井走行クレ−ン（以下、クレ−ンと略称する）の機上における清掃は、従来真空掃除配管に設けられた真空弁により機上のほこり等を吸引する方法と、気吹き配管に設けた気吹きノズルから圧縮空気を吹き出して、機上の紙、ほこり等を（以下、単にほこりという）吹き飛ばして除去する方法とが行われている。
【０００３】
図２は、ほこりを吸引する方法を示す図である。図２において、２１はクレ−ン、２２はクレ−ンガ−ダ−、２３はクレ−ン点検歩廊、２４は点検歩廊の安全用手摺、２５は真空掃除配管、２６は真空弁である。
【０００４】
真空掃除配管２５は、クレ−ンガ−ダ−２２に沿って設けられたクレ−ン点検歩廊２３の手摺２４に沿って配管されている。そして、真空掃除配管２５には複数の真空弁２６が設けられ、真空弁２６に掃除用器具を接続して、機上のほこりを吸引するようになっている。なお、図示されていないが、ほこりを吸引するときには、真空掃除配管２５は建屋点検歩廊に沿って設けられた真空掃除配管に接続される。
【０００５】
図３は、気吹きによりほこりを吹き飛ばして除去する方法を示す図である。図において、３１はクレ−ン、３２は建屋天井、３３は建屋梁、３４は気吹き配管、３５は回転管、３６は気吹きノズルである。
【０００６】
気吹き配管３４は、建屋天井３２を支持する建屋梁３３の下部に沿って配管されており、気吹き配管３４には建屋の幅方向に回転可能な回転管３５が接続され、回転管３５の先端には気吹きノズル３６が設けられている。そして、回転管３５を回転手段（図示せず）により回転させながら、気吹きノズル３６から圧縮空気を吹き出して、機上のほこりを吹き飛ばして除去する。
なお、以上述べたような清掃方法及びその手段については、従来より一般的に知られたものであり、これに関する特許文献や非特許文献は見いだせない。
【０００７】
【発明が解決しようとする課題】
しかしながら、上述した従来のクレ−ンの清掃方法に使用される清掃装置には、次のような問題点がある。
（１）ほこりを吸引する装置
真空掃除配管をクレ−ン点検歩廊の手摺に沿って配管しているが、手摺の外側に配管するのは安全上できないので、手摺の内側に配管せざるを得ない。クレ−ン点検歩廊の有効幅は、労働安全衛生法に基づくクレ−ン等安全規則により４００ｍｍ以上と定められているので、真空掃除配管を手摺の内側に配管すると、その分だけ点検歩廊の幅を大きくしなければならず、点検歩廊を無駄に広くすることになる。
（２）ほこりを吹き飛ばす装置
装置が大掛かりとなるばかりでなく、気吹きノズルが高い位置にあるので、気吹きの効果が限られる。
【０００８】
この発明は、従来技術の上述のような問題点を解消するためになされたものであり、点検歩廊を無駄に広くすることなしに、かつ装置を大掛かりにすることなしに、機上のほこりの吸引および気吹きをすることのできる天井クレ−ンの清掃装置を提供することを目的としている。
【０００９】
【課題を解決するための手段】
この発明に係る天井クレ−ンの清掃装置は、機上点検歩廊の転落防止用手摺を兼ねる真空掃除配管および気吹き配管とからなり、前記真空掃除配管には複数の真空吸引弁が、前記気吹き配管には複数の気吹きノズルが設けられ、真空掃除配管は建屋点検歩廊に沿って設けられた真空掃除配管に接続カップリング付ホ−スにより接続可能に、気吹き配管は建屋点検歩廊に沿って設けられた圧縮空気配管に接続カップリング付ホ−スにより接続可能に構成されたものである。
【００１０】
この発明に係る天井クレ−ンの清掃装置においては、真空掃除配管と気吹き配管が点検歩廊の手摺に兼用されているので、点検歩廊の幅を無駄に広くする必要はない。
【００１１】
また、気吹き配管においては、機上の気吹き配管と建屋点検歩廊に沿って設けられた圧縮空気配管とを接続するだけであるので、設備が大掛かりにならないとともに、気吹き配管の気吹きノズルを、ほこりに近い位置に設けることができるので、気吹きの効果を高めることができる。
【００１２】
【発明の実施の形態】
本発明の実施の形態を、図面を参照して説明する。図１は、本発明の天井走行クレ−ンの清掃装置の実施の形態を説明するためのクレ−ンの正面図である。
【００１３】
図１において、１は天井走行クレ−ン、２は点検歩廊、３は手摺、４は手摺３を構成する真空掃除配管、５は同じく手摺３を構成する気吹き配管、６は真空掃除配管４に設けた真空弁、７は気吹き配管５に設けた気吹きノズル、８は建屋点検歩廊、９は建屋点検歩廊８に沿って設けられた真空掃除配管、１０は同じく建屋点検歩廊８に沿って設けられた圧縮空気配管、１１は真空掃除配管９に接続された真空掃除用接続ホ−ス、１２は圧縮空気配管１０に接続された気吹き用接続ホ−ス、１３は真空掃除用接続ホ−ス１１を真空掃除配管４に接続するための真空掃除用接続カップリング、１４は気吹き用接続ホ−ス１２を気吹き配管５に接続するための気吹き用接続カップリングである。
【００１４】
この天井走行クレ−ンの清掃装置は、天井走行クレ−ン１の点検歩廊２に設けられた手摺３を構成する真空掃除配管４と、同じく手摺３を構成する気吹き配管５とから構成され、真空掃除配管４には真空弁６、気吹き配管５には気吹きノズル７が、それぞれ複数設けられている。
【００１５】
一方、建屋点検歩廊８に沿って、真空掃除配管９および圧縮空気配管１０が配管されている。そして、真空掃除配管９には真空掃除用接続ホ−ス１１が、圧縮空気配管１０には気吹き用接続ホ−ス１２が接続されている。
【００１６】
真空掃除用接続ホ−ス１１の先端には、真空掃除用接続カップリング１３が設けられており、真空掃除配管４と真空掃除配管９とを、真空掃除用接続ホ−ス１１を介して接続できるようになっている。
【００１７】
また、気吹き用接続ホ−ス１２の先端には、気吹き用接続カップリング１４が設けられており、気吹き配管５と圧縮空気配管１０とを、気吹き用接続ホ−ス１２を介して接続できるようになっている。
【００１８】
この天井クレ−ンの清掃装置を使用して、ほこりを吸引して機上の清掃を行うときには、天井走行クレ−ン１を真空掃除配管４と真空掃除用接続ホ−ス１１とが接続できる位置まで走行させて停止する。そして、真空掃除配管４と真空掃除用接続ホ−ス１１とを、真空掃除用接続カップリング１３により接続する。
【００１９】
これにより、真空掃除配管４内は真空吸引できる状態となるため、真空弁６に掃除用器具を接続した後、真空弁６を開いて機上のほこりを吸引する。
【００２０】
また、この天井クレ−ンの清掃装置を使用して、ほこりを気吹きして除去するときには、天井走行クレ−ン１を気吹き配管５と気吹き用接続ホ−ス１２とが接続できる位置まで走行させて停止する。そして、気吹き配管５と気吹き用接続ホ−ス１２とを、気吹き用接続カップリング１４により接続する。
【００２１】
これにより、気吹き配管５には圧縮空気が供給できる状態となるので、気吹きノズル７から圧縮空気を吹き出して、機上のほこりを吹き飛ばして除去する。
【００２２】
本発明の天井走行クレ−ンの清掃装置は、点検歩廊の手摺を兼用しているので、点検歩廊の幅を無駄に広くする必要がない。
【００２３】
また、清掃装置が大掛かりになることもなく、有効に清掃することができる。
【００２４】
【発明の効果】
本発明により、天井走行クレ−ンの清掃を、点検歩廊の幅を無駄に広くしたり、清掃装置を大掛かりにすることなしに、効率よく行うことができる。
【図面の簡単な説明】
【図１】本発明の天井走行クレ−ンの清掃装置の実施の形態を説明するためのクレ−ンの正面図である。
【図２】従来の天井走行クレ−ンの吸引による清掃方法を示す図である。
【図３】従来の天井走行クレ−ンの気吹きによる清掃方法を示す図である。
【符号の説明】
１  天井走行クレ−ン
２  点検歩廊
３  手摺
４  真空掃除配管
５  気吹き配管
６  真空弁
７  気吹きノズル
８  建屋点検歩廊
９  真空掃除配管
１０  圧縮空気配管
１１  真空掃除用接続ホ−ス
１２  気吹き用接続ホ−ス
１３  真空掃除用接続カップリング
１４  気吹き用接続カップリング
【図１】
2004189378.tif 000003
【図２】
2004189378.tif 000004
【図３】
2004189378.tif 000005